(57)【特許請求の範囲】
【請求項１】
撮影方向を変化させながら撮影された一連の撮影画像のうち、基準画像と、前記基準画像以外の他の画像との間の相対的な撮影方向の関係を求める方向決定部と、
前記基準画像を基準として、前記方向決定部で求められた相対的な撮影方向に応じた位置に、前記基準画像以外の他の画像の縮小画像を配置した撮影方向画面を作成する撮影方向画面作成部と、
前記撮影方向画面作成部によって作成された撮影方向画面を表示部に表示させる表示制御部と、
を備え、
前記撮影方向画面作成部は、画面の中央の領域に前記基準画像を配置するとともに、前記基準画像の周囲の位置に、前記基準画像以外の他の画像の縮小画像を配置した撮影方向画面を作成する、又は前記基準画像上に、前記基準画像以外の他の画像の縮小画像を配置した撮影方向画面を作成することを特徴とする画像再生装置。
【請求項２】
前記撮影方向画面作成部は、前記基準画像の撮影時刻に対して前記他の画像の撮影時刻が離れているほど、当該他の画像の縮小画像を作成する際の縮小率を大きくする、
ことを特徴とする請求項１に記載の画像再生装置。
【請求項３】
前記撮影方向画面作成部は、前記基準画像の撮影時刻に対して前記他の画像の撮影時刻が離れているほど、当該他の画像の縮小画像のコントラストまたは輝度を低下させる、
ことを特徴とする請求項１に記載の画像再生装置。
【請求項４】
前記撮影方向画面作成部は、前記基準画像以外の他の画像のうち、前記基準画像の撮影時刻に近い所定枚数の画像を用いて、前記撮影方向画面を作成する、
ことを特徴とする請求項１に記載の画像再生装置。
【請求項５】
前記撮影方向画面作成部は、前記基準画像以外の他の画像のうち、各画像の撮影時刻に応じて、所定枚数の画像を用いて前記撮影方向画面を作成するとともに、前記撮影方向画面の作成に用いる画像を一定時間ごとに切り替える、
ことを特徴とする請求項１に記載の画像再生装置。  
【請求項６】
請求項１から請求項５のいずれか一項に記載の画像再生装置と、  
画像を撮像する撮像部と、
角度センサと、
前記角度センサによって検出された角度に基づいて、撮影時の撮影方向を検出する撮影方向検出部と、
前記撮影方向検出部によって検出された撮影方向に関する情報を画像データに付帯させて画像記憶部に記録する記録部と、
を備えることを特徴とする撮像装置。
【請求項７】
前記基準画像は、ライブビュー画像である、
ことを特徴とする請求項６に記載の撮像装置。
【請求項８】
請求項１から請求項５のいずれか一項に記載の画像再生装置と、
画像を撮像する撮像部と、
撮影時の撮影方向を検出する撮影方向検出部と、
を備える撮像装置であって、
前記方向決定部は、前記基準画像にライブビュー画像を用い、
前記撮影方向画面作成部は、前記ライブビュー画像による撮影方向画面を作成し、
前記表示制御部は、前記ライブビュー画像による撮影方向画面を表示部に表示させる、
ことを特徴とする撮像装置。
【請求項９】
撮影方向を変化させながら撮影された一連の撮影画像のうち、基準画像と、前記基準画像以外の他の画像との間の相対的な撮影方向の関係を求める第１のステップと、
前記基準画像を基準として、前記求めた相対的な撮影方向に応じた位置に、前記基準画像以外の他の画像の縮小画像を配置した撮影方向画面を作成する第２のステップと、
前記作成した撮影方向画面を表示部に表示させる第３のステップと、
をコンピュータに実行させ、
前記第２のステップにおいて、画面の中央の領域に前記基準画像を配置するとともに、前記基準画像の周囲の位置に、前記基準画像以外の他の画像の縮小画像を配置した撮影方向画面を作成する、又は前記基準画像上に、前記基準画像以外の他の画像の縮小画像を配置した撮影方向画面を作成することをコンピュータに実行させるための画像再生プログラム。
【発明の詳細な説明】
【技術分野】
【０００１】
本発明は、画像の表示技術に関する。
【背景技術】
【０００２】
パノラマ撮影を確実に行わせるために、パノラマ撮影中にカメラの移動すべき方向を示すカメラが知られている（特許文献１参照）。また、パノラマ画像よりも広範囲である３６０度の画像を撮影するために、ガイド円を示して、撮影方向をユーザに認識させるカメラが知られている（特許文献２参照）。
【０００３】
さらに、ライブビュー画像の横に撮影画像をサムネイル画像として順番に並べて、ライブビュー画像とともに、過去の撮影画像をユーザが確認できるようにしたカメラも知られている（特許文献３参照）。
【０００４】
一方、動画撮影では、カメラの動き情報（パン、ズーム等）を検出して、パンされた動画を合成した履歴画像を作成するカメラも知られている（特許文献４参照）。
【先行技術文献】
【特許文献】
【０００５】
【特許文献１】特開２００９−２３２２７６号公報
【特許文献２】特開２００５−１８４５３３号公報
【特許文献３】特開２００９−２２５２８０号公報
【特許文献４】特開２００９−７７３６３号公報
【発明の概要】
【発明が解決しようとする課題】
【０００６】
ここで、撮影方向を変えながら撮影を行う場合に、撮影中にどの方向のどのような被写体を過去に撮影したのかを知りたい場合がある。しかしながら、特許文献１、２、４には、撮影中にどの方向のどのような被写体を過去に撮影したかを確認する方法についての開示はない。また、特許文献３のカメラでは、ライブビュー画像とともに、過去の撮影画像をサムネイル画像として表示するが、表示サイズの小さいサムネイル画像では、被写体全体のどの方向を撮影したかを確認するのは難しいという問題があった。
【０００７】
本発明は、現在表示中の画像と、過去に撮影した画像との間の撮影方向の関係を容易に把握することができる画像再生技術を提供することを目的とする。
【課題を解決するための手段】
【０００８】
本発明のある態様に係る画像再生装置は、撮影方向を変化させながら撮影された一連の撮影画像のうち、基準画像と、前記基準画像以外の他の画像との間の相対的な撮影方向の関係を求める方向決定部と、前記基準画像を基準として、前記方向決定部で求められた相対的な撮影方向に応じた位置に、前記基準画像以外の他の画像の縮小画像を配置した撮影方向画面を作成する撮影方向画面作成部と、前記撮影方向画面作成部によって作成された撮影方向画面を表示部に表示させる表示制御部と、を備え、前記撮影方向画面作成部は、画面の中央の領域に前記基準画像を配置するとともに、前記基準画像の周囲の位置に、前記基準画像以外の他の画像の縮小画像を配置した撮影方向画面を作成する、又は前記基準画像上に、前記基準画像以外の他の画像の縮小画像を配置した撮影方向画面を作成する。
【０００９】
本発明の別の態様に係る画像再生プログラムは、撮影方向を変化させながら撮影された一連の撮影画像のうち、基準画像と、前記基準画像以外の他の画像との間の相対的な撮影方向の関係を求める第１のステップと、前記基準画像を基準として、前記求めた相対的な撮影方向に応じた位置に、前記基準画像以外の他の画像の縮小画像を配置した撮影方向画面を作成する第２のステップと、前記作成した撮影方向画面を表示部に表示させる第３のステップと、をコンピュータに実行させ、前記第２のステップにおいて、画面の中央の領域に前記基準画像を配置するとともに、前記基準画像の周囲の位置に、前記基準画像以外の他の画像の縮小画像を配置した撮影方向画面を作成する、又は前記基準画像上に、前記基準画像以外の他の画像の縮小画像を配置した撮影方向画面を作成することをコンピュータに実行させる。
【発明の効果】
【００１０】
本発明によれば、現在表示中の画像と、過去に撮影した画像との間の撮影方向の関係を容易に把握することができる。
【図面の簡単な説明】
【００１１】
【図１】一実施の形態におけるデジタルカメラの構成を示すブロック図である。
【図２】ライブビュー撮影時に撮影した５枚の静止画の撮影位置の関係の一例を示す図である。
【図３】ライブビュー方向画面表示モード設定時に、表示部に表示される撮影方向画面の遷移の一例を示す図である。
【図４】ライブビュー方向画面表示モード設定時に、表示部に表示される別の撮影方向画面の遷移の一例を示す図である。
【図５】ライブビュー方向画面表示モード設定時に、表示部に表示されるさらに別の撮影方向画面の遷移の一例を示す図である。
【図６】ライブビュー方向画面表示モード設定時に、表示部に表示されるさらに別の撮影方向画面の一例を示す図である。
【図７】デジタルカメラが方向画面表示モードに設定されており、かつ、スライドショー表示に設定されていない場合に、表示部に表示される撮影方向画面の遷移の一例を示す図である。
【図８】デジタルカメラが撮影モードに設定された場合の処理内容を示すフローチャートである。
【図９】ライブビュー方向画面表示処理の詳細な処理内容を示すフローチャートである。
【図１０】デジタルカメラが再生モードに設定された場合の処理内容を示すフローチャートである。
【発明を実施するための形態】
【００１２】
図１は、一実施の形態におけるデジタルカメラ１の構成を示すブロック図である。デジタルカメラ１は、静止画・動画を撮影する撮影装置として機能するとともに、静止画・動画を再生する画像再生装置としても機能する。
【００１３】
デジタルカメラ１は、制御部１１と、プログラム／データ記憶部１２と、操作部１３と、角度センサ１４と、撮像部１５と、ＳＤＲＡＭ１６と、画像処理部１７と、表示ドライバー部１８と、表示部１９と、圧縮伸長部２０と、再生部２１と、記録部２２と、画像記憶部２３と、バス２５とを備える。
【００１４】
制御部（ＣＰＵ）１１は、プログラム／データ記憶部１２に記憶された制御プログラムに従って動作し、カメラの全体制御を行う。制御部１１内には、表示制御部１１１、方向決定部１１４、および、撮影方向画面作成部１１５が設けられている。方向決定部１１４は、カメラ方向検出部１１２および背景検出部１１３を有する。表示制御部１１１、カメラ方向検出部１１２、背景検出部１１３、方向決定部１１４、および、撮影方向画面作成部１１５は、制御プログラムにより実行される処理の一部であるため、制御部１１に含まれる機能部として説明する。
【００１５】
表示制御部１１１は、再生される画像を表示部１９に表示させる際の表示制御を行う。
【００１６】
カメラ方向検出部１１２は、カメラに内蔵された角度センサ１４によって検出された角度に基づいて、デジタルカメラ１の左右方向および上下方向の変化を検出するとともに、撮像面の移動方向および移動量を算出する。
【００１７】
背景検出部１１３は、画像から、背景部分、すなわち、移動しない被写体を検出し、検出した背景部分が動画撮影時に画面上で移動する移動方向および移動量を求める。背景部分の移動方向および移動量は、撮像面の移動方向および移動量と等しい。
【００１８】
方向決定部１１４は、カメラ方向検出部１１２によって検出された撮像面の移動方向および移動量と、背景検出部１１３によって検出された背景部分の移動方向および移動量とに基づいて、撮影方向を求める。撮影方向は、カメラ方向検出部１１２で検出される情報および背景検出部１１３で検出される情報のうちのいずれか一方の情報があればよいが、両方の情報を用いることにより、算出精度を向上させることができる。
【００１９】
撮影方向画面作成部１１５は、ライブビュー撮影時に、基準画像と来歴画像との間の相対的な撮影方向の関係に基づいて、後述する撮影方向画面を作成する。ライブビュー撮影時の基準画像は、ライブビュー画像である。また、来歴画像は、ライブビュー撮影時に撮影された静止画像である。
【００２０】
撮影方向画面作成部１１５は、また、撮影方向を変化させながら撮影された一連の撮影画像に基づいて、静止画の再生表示を行う際に、基準画像と来歴画像との間の相対的な撮影方向の関係に基づいて、撮影方向画面を作成する。静止画の再生表示を行う場合の基準画像は、再生対象の画像であり、来歴画像は、一連の撮影画像のうちの基準画像以外の画像である。
【００２１】
制御部１１には、プログラム／データ記憶部１２、操作部１３、角度センサ１４、および、バス２５が接続されている。プログラム／データ記憶部１２には、前述したように、制御部１１において実行するプログラムが記憶されており、各種データも記憶されている。
【００２２】
操作部１３は、ユーザがカメラに指示を与えるための各種操作部材を有する。各種操作部材には、例えば、電源釦、レリーズ釦、ＯＫ釦、十字釦、再生釦、テレワイド釦等が含まれる。
【００２３】
バス２５には、制御部１１の他に、撮像部１５、ＳＤＲＡＭ１６、画像処理部１７、表示ドライバー部１８、圧縮伸長部２０、再生部２１、および、記録部２２が接続されている。
【００２４】
撮像部１５は、被写体像を結像させるための撮影レンズ、被写体像を画像データに変換するための撮像素子、および、これらの処理回路、撮影レンズの光路中に介挿された絞りおよびシャッタ等を含む。撮像部１５によって生成された静止画像や連続画像の画像データはバス２５に出力される。
【００２５】
ＳＤＲＡＭ１６は、電気的に書き換え可能な揮発性の一時記憶メモリであり、撮像部１５から出力される静止画像や連続画像の画像データの一時記憶に用いられる。
【００２６】
画像処理部１７は、デジタル画像データのデジタル的増幅（デジタルゲイン調整処理）、ホワイトバランス、色補正、ガンマ（γ）補正、コントラスト補正、ライブビュー表示用画像生成、動画画像生成、インデックス画像（縮小画像）生成等の各種画像処理を行う。
【００２７】
圧縮伸長部２０は、ＳＤＲＡＭ１６に一時記憶された静止画像や連続画像の画像データをＪＰＥＧやＴＩＦＦ等の圧縮方式により圧縮し、また表示等のために伸長するための回路である。なお、画像圧縮は、ＪＰＥＧ、ＴＩＦＦ、ＭＰＥＧに限らず、他の圧縮方式も適用できる。
【００２８】
表示ドライバー部１８は、表示部１９と接続されており、表示部１９に画像を表示させる。表示部１９は、カメラ本体の背面等に配置された液晶モニタや有機ＥＬ等のディスプレイである。
【００２９】
再生部２１は、表示対象の画像の再生を行う。特に、再生部２１は、画像記憶部２３から再生対象の画像データ（静止画データまたは動画データ）を読み出す。読み出された画像データは、圧縮伸長部２０において伸長され、伸長された画像データに基づいて、表示部１９に画像が再生表示される。
【００３０】
記録部２２は、圧縮伸長部２０で圧縮された画像データを画像記憶部２３に記録する。記録部２２は、また、方向決定部１１４で撮影時の撮影方向が求められている場合には、求められた撮影方向に関する情報を画像データに付帯させて画像記憶部２３に記録する。例えば、撮影方向に関する情報は、タグ情報として画像データに付帯させておくことができる。画像記憶部２３は、再生部２１に接続されており、カメラ本体に内蔵、または装填可能な画像データの記録媒体である。
【００３１】
図２は、ライブビュー撮影時に撮影した５枚の静止画２６〜３０の撮影位置の関係の一例を示す図である。以後の説明のために、各画像２６〜３０に「Ｒ１」〜「Ｒ５」の符号を付している。５枚の静止画２６〜３０は、画像２６、２７、２８、２９、３０の順に撮影されたものとする。また、図２において、５台の車３１〜３５が写っているが、１台の車が移動した模様を描写したものであり、全て同一の車である。
【００３２】
なお、撮影方向に関する情報は、移動する画面全体をＸＹ平面として、ＸＹ平面上での撮影画像の相対位置で表すことができる。図２に示すように、ＸＹ座標の基準を、最初に撮影された画像である画像Ｒ１のセンターＣ１とする。２枚目以降の画像Ｒ２、Ｒ３…の撮影方向に関する情報は、撮像面の移動方向および移動量から、各画像のセンターとＣ１との相対値（変位）で表現することができる。例えば、２回目に撮影される画像Ｒ２の撮影方向に関する情報は、基準であるセンターＣ１に対するセンターＣ２のＸＹ変位で表現することができる。なお、撮影方向に関する情報としては、ＸＹ変位ではなく、画像Ｒ１に対する各画像の動きベクトル、あるいは各画像間の動きベクトルの変化を用いてもよい。
【００３３】
一実施の形態におけるデジタルカメラ１では、ライブビュー撮影時に、ライブビュー方向画面表示モードと、通常ライブビュー表示モードとを選択的に設定可能である。ライブビュー方向画面表示モード設定時には、撮影方向画面作成部１１５によって作成された撮影方向画面を表示部１９に表示する。
【００３４】
図３は、ライブビュー方向画面表示モード設定時に、表示部１９に表示される撮影方向画面の遷移の一例を示す図である。図３（ａ）〜図３（ｅ）において、ライブビュー画像には、画像の左上に「ＬＶ」の文字を付している。
【００３５】
本実施形態において、撮影方向画面作成部１１５は、４種類の撮影方向画面を作成することができる。図３に示す撮影方向画面のタイプを、本明細書ではＡタイプと呼ぶ。
【００３６】
図３（ａ）は、図２の画像Ｒ１に対応するライブビュー画像３６を表示部１９に表示した状態を示す図である。
【００３７】
図３（ｂ）は、図３（ａ）に示す画面で静止画撮影を行った後に、撮影方向を移動させたときの撮影方向画面の一例を示す図である。図３（ｂ）に示すライブビュー画像３７は、図２の画像Ｒ２に対応している。撮影方向画面の作成方法を以下で説明する。
【００３８】
撮影方向画面作成部１１５は、方向決定部１１４によって求められた撮影方向情報に基づいて、現在のライブビュー画像（基準画像）を基準として、ライブビュー撮影中に撮影した静止画像（来歴画像）の縮小画像を配置した撮影方向画面を作成する。ここでは、画像Ｒ１が来歴画像となる。
【００３９】
図２を参照すると、画像Ｒ２に対する画像Ｒ１の相対的な撮影方向は、左斜め下方向である。従って、撮影方向画面作成部１１５は、撮影方向情報に基づいて、画像Ｒ２に対応するライブビュー画像３７上の左斜め下方向の位置に、来歴画像である画像Ｒ１の縮小画像３８を配置した撮影方向画面を作成する。
【００４０】
縮小画像は、ライブビュー画像と重ねて配置するため、縮小率は、縮小画像によってライブビュー画像の視認性をあまり低下させない程度であって、かつ、縮小画像中の被写体の視認性が悪くならない程度の値とする。また、撮影方向画面作成部１１５は、縮小画像に対して、コントラストまたは輝度を低下させる処理を施す。ただし、コントラストと輝度の両方を低下させてもよい。
【００４１】
図３（ｃ）は、図３（ｂ）に示す撮影方向画面で撮影を行った後に、撮影方向を移動させたときの撮影方向画面の一例を示す図である。図３（ｃ）に示すライブビュー画像３９は、図２の画像Ｒ３に対応している。また、来歴画像は、ライブビュー撮影中に撮影された画像である画像Ｒ１および画像Ｒ２となる。
【００４２】
図２を参照すると、画像Ｒ３に対する画像Ｒ２の相対的な撮影方向は右方向である。また、画像Ｒ３に対する画像Ｒ１の相対的な撮影方向は、右斜め下方向である。従って、撮影方向画面作成部１１５は、撮影方向情報に基づいて、画像Ｒ３に対応するライブビュー画像３９上の右方向の位置に、来歴画像である画像Ｒ２の縮小画像４０を配置するとともに、ライブビュー画像上の右斜め下方向の位置に、来歴画像である画像Ｒ１の縮小画像４１を配置した撮影方向画面を作成する。
【００４３】
撮影方向画面作成部１１５は、来歴画像の縮小画像を作成する際に、基準画像の撮影時刻に対して来歴画像の撮影時刻が離れているほど、縮小率を大きく設定する。すなわち、ライブビュー撮影時には、撮影時刻の古い来歴画像ほど、縮小率を大きくする。図３（ｃ）に示す例では、画像Ｒ２の縮小画像よりも、画像Ｒ１の縮小画像の方が小さくなる。
【００４４】
また、基準画像の撮影時刻に対して来歴画像の撮影時刻が離れているほど、コントラストまたは輝度を低下させる度合いを大きくする。すなわち、ライブビュー撮影時には、撮影時刻の古い来歴画像の縮小画像ほど、コントラストまたは輝度を低下させる度合いを大きくする。これにより、ユーザが撮影方向画面を見たときに、縮小画像の大きさや、輝度またはコントラストによって、どの画像の撮影時刻が古いかを容易に判断することができる。すなわち、各画像の撮影順序を把握することができる。
【００４５】
図３（ｄ）は、図３（ｃ）に示す画面で撮影を行った後に、撮影方向を移動させたときの撮影方向画面の一例を示す図である。図３（ｄ）に示す撮影方向画面では、図２の画像Ｒ４に対応するライブビュー画像４２上に、画像Ｒ１、Ｒ２、Ｒ３に対応する来歴画像の縮小画像４３、４４、４５が撮影方向に応じて配置されている。
【００４６】
図３（ｅ）は、図３（ｄ）に示す撮影方向画面で撮影を行った後に、撮影方向を移動させたときの撮影方向画面の一例を示す図である。本実施形態では、撮影方向画面に含める来歴画像を、基準画像に対して撮影時刻の近い所定枚数（例えば、３、４あるいは５枚等）とする。ここでは、所定枚数を３とする。従って、撮影方向画面作成部１１５は、図２の画像Ｒ５に対応するライブビュー画像４６上に、直近に撮影された３枚の画像Ｒ２、Ｒ３、Ｒ４の縮小画像４７、４８、４９を撮影方向に応じて配置して、撮影方向画面を作成する。すなわち、撮影時刻が一番古い画像Ｒ１の縮小画像は、撮影方向画面には含まれない。
【００４７】
図４は、ライブビュー方向画面表示モード設定時に、表示部１９に表示される別の撮影方向画面の遷移の一例を示す図である。図４に示す撮影方向画面のタイプを、本明細書ではＢタイプと呼ぶ。
【００４８】
Ａタイプの撮影方向画面では、ライブビュー画像上に、来歴画像の縮小画像を配置した。Ｂタイプの撮影方向画面では、ライブビュー画像を縮小し、縮小したライブビュー画像の周囲に来歴画像の縮小画像を配置する。ライブビュー画像の縮小率は、配置する来歴画像の縮小画像の数および配置場所に基づいて決定する。
【００４９】
図４（ａ）は、図２の画像Ｒ１に対応するライブビュー画像５０を表示部１９に表示した状態を示す図である。
【００５０】
図４（ｂ）は、図４（ａ）に示す画面で撮影を行った後に、撮影方向を移動させたときの撮影方向画面の一例を示す図である。図４（ｂ）に示すライブビュー画像５１は、図２の画像Ｒ２に対応している。撮影方向画面の作成方法を以下で説明する。
【００５１】
撮影方向画面作成部１１５は、Ａタイプの撮影方向画面を作成する場合と同様に、来歴画像である画像Ｒ１を縮小して縮小画像を作成するとともに、縮小画像のコントラストまたは輝度を低下させる処理を施す。また、撮影方向画面作成部１１５は、来歴画像である画像Ｒ１の縮小画像５２と、ライブビュー画像とが重ならないように表示部１９に表示させるために、ライブビュー画像を縮小した縮小画像５１を作成する。
【００５２】
ライブビュー画像を縮小した縮小画像５１と、来歴画像である画像Ｒ１の縮小画像５２との配置関係は、Ａタイプの撮影方向画面を作成する場合と同じである。すなわち、図２を参照すると、画像Ｒ２に対して、画像Ｒ１の撮影方向は、左斜め下方向なので、画像Ｒ２に対応するライブビュー画像の縮小画像５１に対して、左斜め下方向の位置に、来歴画像である画像Ｒ１の縮小画像５２を配置する。
【００５３】
図４（ｃ）は、図４（ｂ）に示す撮影方向画面で撮影を行った後に、撮影方向を移動させたときの撮影方向画面の一例を示す図である。撮影方向画面作成部１１５は、ライブビュー画像を縮小した縮小画像５３を作成し、ライブビュー画像に対する撮影方向に応じて、来歴画像である画像Ｒ１、Ｒ２の縮小画像５４、５５を配置した撮影方向画面を作成する。
【００５４】
図４（ｄ）は、図４（ｃ）に示す撮影方向画面で撮影を行った後に、撮影方向を移動させたときの撮影方向画面の一例を示す図である。撮影方向画面作成部１１５は、ライブビュー画像を縮小した縮小画像５６を作成し、ライブビュー画像に対する撮影方向に応じて、来歴画像である画像Ｒ１、Ｒ２、Ｒ３の縮小画像５７、５８、５９を配置した撮影方向画面を作成する。図４（ｄ）に示すライブビュー画像の縮小画像５６は、３つの縮小画像５７、５８、５９とともに表示するため、図４（ｂ）に示すライブビュー画像の縮小画像５１や、図４（ｃ）に示すライブビュー画像の縮小画像５３に比べて小さいサイズとなっている。
【００５５】
図４（ｅ）は、図４（ｄ）に示す撮影方向画面で撮影を行った後に、撮影方向を移動させたときの撮影方向画面の一例を示す図である。Ｂタイプの撮影方向画面でも、撮影方向画面に含める来歴画像の数を、基準画像に対して撮影時刻の近い所定枚数（例えば、３枚）とする。従って、撮影方向画面作成部１１５は、ライブビュー画像を縮小した縮小画像６０を作成し、ライブビュー画像に対する撮影方向に応じて、直近の３枚の来歴画像である画像Ｒ２、Ｒ３、Ｒ４の縮小画像６１、６２、６３を配置した撮影方向画面を作成する。
【００５６】
図５は、ライブビュー方向画面表示モード設定時に、表示部１９に表示されるさらに別の撮影方向画面の遷移の一例を示す図である。図５に示す撮影方向画面のタイプを、本明細書ではＣタイプと呼ぶ。
【００５７】
Ｂタイプの撮影方向画面では、来歴画像の縮小画像の数および配置場所に基づいて、ライブビュー画像を縮小し、縮小したライブビュー画像の周囲に来歴画像の縮小画像を配置した。Ｃタイプの撮影方向画面でも、縮小したライブビュー画像の周囲に来歴画像の縮小画像を配置するが、来歴画像の縮小画像の数や配置場所に関係なく、ライブビュー画像の表示サイズおよび表示場所を固定する。
【００５８】
図５（ａ）は、図２の画像Ｒ１に対応するライブビュー画像７０を表示部１９に表示した状態を示す図である。
【００５９】
図５（ｂ）は、図５（ａ）に示す画面で撮影を行った後に、撮影方向を移動させたときの撮影方向画面の一例を示す図である。図５（ｂ）に示すライブビュー画像７１は、図２の画像Ｒ２に対応している。
【００６０】
撮影方向画面作成部１１５は、ライブビュー画像を縮小した縮小画像７１を表示画面の中央部分に配置し、縮小画像７１の周辺に、来歴画像である画像Ｒ１の縮小画像７２を配置した撮影方向画面を作成する。ライブビュー画像の縮小画像７１に対する来歴画像の縮小画像７２の配置位置は、Ｂタイプの撮影方向画面と同じである。
【００６１】
図５（ｃ）〜図５（ｅ）に示す撮影方向画面の詳しい作成方法については、説明を省略する。上述したように、Ｃタイプの撮影方向画面では、図５（ｃ）〜図５（ｅ）に示すように、ライブビュー画像の縮小画像とともに配置する来歴画像の縮小画像の数が増えても、ライブビュー画像の縮小画像の表示サイズおよび表示位置は変わらない。
【００６２】
図６は、ライブビュー方向画面表示モード設定時に、表示部１９に表示されるさらに別の撮影方向画面の一例を示す図である。図６に示す撮影方向画面のタイプを、本明細書ではＤタイプと呼ぶ。Ｄタイプの撮影方向画面では、２枚以上の来歴画像が存在する場合に、ライブビュー画像に対して直近の１枚の来歴画像のみを縮小画像として表示し、他の来歴画像については、画像番号のみを表示する。
【００６３】
図６に示す撮影方向画面では、ライブビュー画像の縮小画像８０を基準として、直近の１枚の来歴画像の縮小画像８４を配置するとともに、他の来歴画像の画像番号を示す縮小画像８１、８２を配置している。画像番号は、画像の記録時に画像ごとに付与される画像固有の番号である。図６に示す例では、縮小画像８１は、画像番号１の来歴画像を縮小した画像であり、縮小画像８２は、画像番号２の来歴画像を縮小した画像である。画像番号のみ表示された縮小画像８１、８２について、その縮小画像が操作部１３によって選択された場合に、縮小画像８４と同じようなサイズまで拡大して、画像の内容を一定時間表示するようにしても良い。
【００６４】
続いて、静止画再生時における撮影方向画面の表示方法について説明する。
【００６５】
一実施の形態におけるデジタルカメラ１では、静止画の再生時に、方向画面表示モードと、通常再生表示モードとを選択的に設定可能である。方向画面表示モード設定時には、撮影方向画面作成部１１５によって作成された撮影方向画面を表示部１９に表示する。撮影方向画面の表示方法は、スライドショー表示に設定されている場合と、スライドショー表示に設定されていない場合とで異なる。
【００６６】
スライドショー表示に設定されている場合、撮影方向画面作成部１１５は、方向決定部１１４によって求められた撮影方向情報に基づいて、再生対象の静止画像（基準画像）を基準として、直近の所定枚数の静止画像（来歴画像）の縮小画像を配置した撮影方向画面を作成する。ライブビュー方向画面表示モード設定時と比べると、基準画像がライブビュー画像ではなく、再生対象の静止画像になっただけであり、撮影方向画面の作成方法は、Ａタイプの撮影方向画面の作成方法と同じである。従って、表示部１９に表示される撮影方向画面の遷移は、基準画像がライブビュー画像ではなく、再生対象の静止画像になるだけであり、図３（ａ）〜（ｅ）に示す表示と同様となる。なお、基準画像である再生対象の静止画像は、一定時間ごとに切り替える。一定時間は、固定の値でもよいし、ユーザが任意の時間を設定できるようにしてもよい。
【００６７】
なお、スライドショー表示に設定されている場合に、Ａタイプの撮影方向画面ではなく、Ｂタイプ、Ｃタイプ、または、Ｄタイプの撮影方向画面を作成して、表示部１９に表示するようにしてもよい。
【００６８】
スライドショー表示に設定されていない場合の表示方法について、図７を用いて説明する。図７は、デジタルカメラ１が方向画面表示モードに設定されており、かつ、スライドショー表示に設定されていない場合に、表示部１９に表示される撮影方向画面の遷移の一例を示す図である。表示部１９に表示される撮影方向画面は、所定時間ごと（例えば、１秒ごと）に切り替えるものとする。ここでは、図２に示す画像Ｒ４を基準画像として説明する。
【００６９】
図７に示す表示例では、基準画像の表示は変化させずに、来歴画像の表示を変化させていく。ここでは、上述したＣタイプの撮影方向画面と同様に、基準画像の表示サイズおよび表示位置は変化させないものとする。すなわち、基準画像の縮小画像を表示部１９のほぼ真ん中に配置し、来歴画像の縮小画像を基準画像の縮小画像の周囲に配置する。また、来歴画像の縮小画像は、基準画像の撮影時刻に対して来歴画像の撮影時刻が離れているほど、縮小率を大きくするとともに、コントラストまたは輝度を低下させる度合いを大きくする。
【００７０】
図７（ａ）は、基準画像である画像Ｒ４の縮小画像９０とともに、撮影時刻が最も古い来歴画像、すなわち、来歴画像である画像Ｒ１の縮小画像９１を配置した撮影方向画面を示す図である。基準画像Ｒ４は事前に設定されたものとする。図７（ａ）に示す撮影方向画面が表示部１９に表示されてから、所定時間が経過すると、図７（ｂ）に示す撮影方向画面が表示部１９に表示される。
【００７１】
図７（ｂ）は、基準画像である画像Ｒ４の縮小画像９０とともに、来歴画像である画像Ｒ１、Ｒ２の縮小画像９１、９２を配置した撮影方向画面を示す図である。図７（ａ）に示す撮影方向画面に対して、画像Ｒ１の次に撮影時刻が古い画像Ｒ２の縮小画像９２が追加されている。図７（ｂ）に示す撮影方向画面が表示部１９に表示されてから、所定時間が経過すると、図７（ｃ）に示す撮影方向画面が表示部１９に表示される。
【００７２】
図７（ｃ）は、基準画像である画像Ｒ４の縮小画像９０とともに、来歴画像である画像Ｒ１、Ｒ２、Ｒ３の縮小画像９１、９２、９３を配置した撮影方向画面を示す図である。図７（ｂ）に示す撮影方向画面に対して、画像Ｒ２の次に撮影時刻が古い画像Ｒ３の縮小画像９３が追加されている。図７（ｃ）に示す撮影方向画面が表示部１９に表示されてから、所定時間が経過すると、図７（ｄ）に示す撮影方向画面が表示部１９に表示される。
【００７３】
図７（ｄ）は、基準画像である画像Ｒ４の縮小画像９０とともに、来歴画像である画像Ｒ１、Ｒ２、Ｒ３、Ｒ５の縮小画像９１、９２、９３、９４を配置した撮影方向画面を示す図である。基準画像である画像Ｒ４より撮影時刻が古い全ての画像Ｒ１〜Ｒ３を表示すると（図７（ｃ）参照）、画像Ｒ４より新しい画像を来歴画像に追加する。すなわち、図７（ｃ）に示す撮影方向画面に対して、画像Ｒ４の次に撮影時刻が新しい画像Ｒ５の縮小画像９４が追加されている。
【００７４】
この後、撮影順に、画像Ｒ６、Ｒ７、Ｒ８が存在する場合、撮影した順に、新しい来歴画像を追加した撮影方向画面を作成して、表示部１９に表示する。ただし、撮影方向画面に含める来歴画像の数が所定枚数に制限されている場合には、新しい来歴画像を追加するとともに、撮影時刻が最も古い来歴画像を外した撮影方向画面を作成する。例えば、所定枚数が４枚に制限されている場合、図７（ｄ）に示す撮影方向画面の次に表示される撮影方向画面では、画像Ｒ６の縮小画像が追加されて、画像Ｒ１の縮小画像が外される。
【００７５】
基準画像より新しい画像を来歴画像に設定して、撮影方向画面を作成する場合に、基準画像より新しい来歴画像の数を所定枚数に制限することもできる。例えば、所定枚数を４枚とすると、基準画像Ｒ４より新しい４枚の画像Ｒ５、Ｒ６、Ｒ７、Ｒ８を含む撮影方向画面を表示部１９に表示すると、画像Ｒ４を基準画像とする撮影方向画面の再生表示を終了する。また、各来歴画像の表示開始のタイミングについては、一定時間間隔（例えば２秒間隔）にすると説明したが、実際の撮影時の撮影時間間隔に応じて、各来歴画像の表示開始のタイミングを設定してもよい。つまり、来歴画像が直前の画像からただちに撮影された場合には、直前の画像を表示してからただちにこの来歴画像を表示し、来歴画像が直前の画像からしばらくしてから撮影された場合には、直前の画像を表示して少し時間が経過してからこの来歴画像を表示するように設定する。このような表示にすれば、撮影の方向だけでなく、各画像間の撮影時間間隔もあわせて表現することができる。
【００７６】
図８は、デジタルカメラ１が撮影モードに設定された場合の処理内容を示すフローチャートである。ステップＳ１１では、デジタルカメラ１がライブビュー方向画面表示モードに設定されているか否かを判定する。デジタルカメラ１がライブビュー方向画面表示モードに設定されていると判定すると、ステップＳ１５に進む。
【００７７】
ステップＳ１５では、ライブビュー表示処理を開始する。すなわち、ライブビュー撮影を行い、撮影したライブビュー画像を表示部１９に表示させる処理を開始する。
【００７８】
ステップＳ１６では、ライブビュー撮影中に行われる静止画撮影がライブビュー撮影中における最初の撮影であるか否かを判定する。最初の撮影であると判定するとステップＳ１８に進み、２回目以降の撮影であると判定すると、ステップＳ１７に進む。
【００７９】
ステップＳ１７では、ライブビュー方向画面表示処理を行う。ライブビュー方向画面表示処理の詳細については、図９に示すフローチャートを用いて後述する。
【００８０】
ステップＳ１８では、最初の撮影において静止画の撮影指示が出されたか否かを判定する。静止画の撮影指示が出されていないと判定するとステップＳ１８で待機し、ユーザによってレリーズ釦の押圧操作が行われて、撮影指示が出されたと判定すると、ステップＳ１９に進む。
【００８１】
ステップＳ１９では、方向決定部１１４で決定された撮影方向情報を、撮影により得られた画像データに付帯させて画像記憶部２３に記録する。一連の撮影の中で、最初の撮影画像の撮影方向情報を、撮影方向情報の基準値とする。２枚目以降の撮影画像の撮影方向情報として、図２で説明したように、基準値に対するＸＹ変位あるいは動きベクトルの変化等を記録する。
【００８２】
一方、ステップＳ１１の判定を否定すると、デジタルカメラ１が通常ライブビュー表示モードに設定されていると判定して、ステップＳ１２に進む。ステップＳ１２では、通常のライブビュー表示を行う。
【００８３】
ステップＳ１３では、静止画の撮影指示が出されたか否かを判定する。静止画の撮影指示が出されていないと判定するとステップＳ１３で待機し、ユーザによってレリーズ釦の押圧操作が行われて、撮影指示が出されたと判定すると、ステップＳ１４に進む。
【００８４】
ステップＳ１４では、撮影により得られた画像データを画像記憶部２３に記録する。
【００８５】
ステップＳ２０では、撮影モードの終了指示が出されたか否かを判定する。例えば、ユーザによって電源オフ操作や、再生モードへの切り替え操作が行われると、撮影モードの終了指示が出されたと判定して、フローチャートの処理を終了する。一方、撮影モードの終了指示が出されていないと判定すると、ステップＳ１１に戻る。
【００８６】
図９は、ライブビュー方向画面表示処理、すなわち、図８に示すフローチャートのステップＳ１７の詳細な処理内容を示すフローチャートである。図９に示すフローチャートの処理は、撮影方向画面作成部１１５によって行われる。
【００８７】
ステップＳ３１では、直近のｎ枚の撮影画像を来歴画像に設定し、来歴画像およびその撮影方向情報を画像記憶部２３から読み出す。
【００８８】
ステップＳ３２では、ライブビュー画像に付帯している撮影方向情報を取得する。
【００８９】
ステップＳ３３では、撮影方向画面の種類が上述したＤタイプであるか否かを判定する。ユーザは、メニュー画面にて、撮影方向画面の種類として、上述したＡタイプからＤタイプのうちのいずれか１つのタイプを設定することができる。設定されている撮影方向画面の種類がＤタイプであると判定すると、ステップＳ４０に進む。
【００９０】
ステップＳ４０では、直近の来歴画像（撮影時刻が最も新しい画像）以外の来歴画像を、番号化画像とする。番号化画像とは、図６の画像８１、８２のように、画像番号を表す画像である。
【００９１】
一方、ステップＳ３３において、設定されている撮影方向画面の種類がＤタイプではないと判定すると、ステップＳ３４に進む。ステップＳ３４では、来歴画像を縮小して、縮小画像を作成する。
【００９２】
ステップＳ３５では、ステップＳ３４で生成された縮小画像のコントラストまたは輝度を低下させる。ただし、コントラストおよび輝度の両方を低下させるようにしてもよい。
【００９３】
ステップＳ３６では、撮影方向画面の種類が上述したＡタイプであるか否かを判定する。設定されている撮影方向画面の種類がＡタイプであると判定するとステップＳ４１に進み、Ａタイプではないと判定すると、ステップＳ３７に進む。
【００９４】
ステップＳ３７では、撮影方向画面の種類が上述したＢタイプであるか否かを判定する。設定されている撮影方向画面の種類がＢタイプであると判定するとステップＳ３８に進み、ＢタイプではなくＣタイプであると判定すると、ステップＳ３９に進む。
【００９５】
ステップＳ３８では、来歴画像の数および配置位置に応じて、ライブビュー画像を縮小した縮小画像を作成する（図４参照）。
【００９６】
一方、ステップＳ３９では、ライブビュー画像を所定の大きさに縮小した縮小画像を作成する（図５参照）。
【００９７】
ステップＳ４１では、ステップＳ３１で読み出した来歴画像の撮影方向情報、および、ステップＳ３２で取得したライブビュー画像の撮影方向情報に基づいて、ライブビュー画像、または、ライブビュー画像の縮小画像を基準として、来歴画像の縮小画像を配置した撮影方向画面を作成する。すなわち、設定されているタイプに応じた撮影方向画面を作成する。タイプに応じた撮影方向画面の作成方法については既に説明したので、ここでは詳しい説明は省略する。
【００９８】
ステップＳ４２では、ステップＳ４１で作成した撮影方向画面を表示部１９に表示させる。
【００９９】
ステップＳ４３では、撮影指示が出されたか否かを判定する。ユーザによってレリーズ釦の押圧操作が行われて、撮影指示が出されたと判定すると、図８に示すフローチャートのステップＳ１８に進み、撮影指示が出されていないと判定すると、ステップＳ３２に戻る。
【０１００】
図１０は、デジタルカメラ１が再生モードに設定された場合の処理内容を示すフローチャートである。ステップＳ５１では、デジタルカメラ１が方向画面表示モードに設定されているか否かを判定する。デジタルカメラ１が通常再生表示モードに設定されていると判定すると、ステップＳ５２に進み、通常の静止画再生表示を行う。一方、デジタルカメラ１が方向画面表示モードに設定されていると判定すると、ステップＳ５３に進む。
【０１０１】
ステップＳ５３では、再生対象の画像に撮影方向情報が付帯しているか否かを判定する。上述したように、ライブビュー方向画面表示モードに設定されている状態で撮影が行われると、撮影方向情報が画像データに付帯された状態で、画像記憶部２３に記録される。ライブビュー方向画面表示モードに設定されていない状態で撮影された場合には、再生画像に撮影方向情報が付帯されない。再生画像に撮影方向情報が付帯していないと判定するとステップＳ５２に進み、通常の静止画再生表示を行う。一方、再生画像に撮影方向情報が付帯していると判定すると、ステップＳ５４に進む。
【０１０２】
ステップＳ５４では、スライドショー表示に設定されているか否かを判定する。スライドショー表示を行うか否かは、ユーザが設定することができる。スライドショー表示に設定されていると判定すると、ステップＳ５５に進む。
【０１０３】
ステップＳ５５では、再生画像を基準として直近のｎ枚の撮影画像を来歴画像とし、再生画像と来歴画像を画像記憶部２３から読み出すとともに、それらの画像に付帯している撮影方向情報を読み出す。例えば、撮影方向情報として基準値に対する画像のＸＹ変位が得られるから、このＸＹ変位から、当該再生画像に対する各来歴画像の相対変位を算出する。
【０１０４】
ステップＳ５６では、再生画像および来歴画像の撮影方向情報に基づいて、再生画像に対して来歴画像を配置して、撮影方向画面を作成する。上述したように、撮影方向画面を作成するに際し、必要に応じて、再生画像および／または来歴画像を縮小した縮小画像を作成するとともに、縮小した来歴画像のコントラストまたは輝度を低下させる処理を行う。
【０１０５】
ステップＳ５７では、ステップＳ５６で作成した撮影方向画面を表示部１９に表示させる。
【０１０６】
ステップＳ５８では、再生モードの終了指示が出されたか否かを判定する。例えば、ユーザによって電源オフ操作や、撮影モードへの切り替え操作が行われると、再生モードの終了指示が出されたと判定して、フローチャートの処理を終了する。一方、再生モードの終了指示が出されていないと判定すると、ステップＳ５９に進む。
【０１０７】
ステップＳ５９では、ステップＳ５７で撮影方向画面を表示してから、一定時間が経過したか否かを判定する。一定時間とは、スライドショー表示時に、次の画像を再生表示するまでの時間である。一定時間が経過していないと判定するとステップＳ５８に戻り、一定時間が経過したと判定すると、ステップＳ６０に進む。
【０１０８】
ステップＳ６０では、再生対象画像を次に再生する画像に切り替えて、ステップＳ５５に戻る。
【０１０９】
一方、ステップＳ５４において、スライドショー表示に設定されていないと判定すると、ステップＳ６１に進む。ステップＳ６１では、指定された基準画像を画像記憶部２３から読み出すとともに、基準画像に付帯している撮影方向情報を読み出す。
【０１１０】
ステップＳ６２では、撮影方向画面を作成するために必要な来歴画像として、指定された基準画像の前後の画像を画像記憶部２３から読み出すとともに、読み出した来歴画像に付帯している撮影方向情報を読み出す。撮影方向画面を作成するために必要な来歴画像は、図７を用いて説明したように、再生時間の経過に伴って変わってくる。
【０１１１】
ステップＳ６３では、基準画像および来歴画像の撮影方向情報に基づいて、基準画像に対して来歴画像を配置して、撮影方向画面を作成する（図７参照）。上述したように、撮影方向画面を作成するに際し、必要に応じて、基準画像および／または来歴画像を縮小した縮小画像を作成するとともに、縮小した来歴画像のコントラストまたは輝度を低下させる処理を行う。
【０１１２】
ステップＳ６４では、ステップＳ６３で作成した撮影方向画面を表示部１９に表示させる。
【０１１３】
ステップＳ６５では、再生モードの終了指示が出されたか否かを判定する。例えば、ユーザによって電源オフ操作や、撮影モードへの切り替え操作が行われると、再生モードの終了指示が出されたと判定して、フローチャートの処理を終了する。一方、再生モードの終了指示が出されていないと判定すると、ステップＳ６６に進む。
【０１１４】
ステップＳ６６では、次に表示する来歴画像が存在するか否かを判定する。例えば、一連の撮影によって得られた全ての画像を撮影方向画面で表示した場合には、次に表示する来歴画像は存在しないと判定する。また、上述したように、基準画像より新しい来歴画像の数が所定枚数に制限されている場合であって、基準画像より新しい所定枚数の来歴画像を撮影方向画面で表示した場合も、次に表示する来歴画像は存在しないと判定する。次に表示する来歴画像が存在すると判定するとステップＳ６２に戻り、次に表示する来歴画像が存在しないと判定するとステップＳ６７に進む。
【０１１５】
ステップＳ６７では、基準画像の切り替え指示があったか否かを判定する。図７を用いて説明したように、基準画像は固定したままとするが、ユーザが基準画像の切り替え指示を出すと、基準画像を切り替える処理を行う。基準画像の切り替え指示はないと判定するとステップＳ６７で待機し、基準画像の切り替え指示があったと判定すると、ステップＳ６１に戻る。
【０１１６】
以上、一実施の形態におけるデジタルカメラでは、撮影方向を変化させながら撮影された一連の撮影画像のうち、基準画像と、基準画像以外の他の画像との間の相対的な撮影方向の関係を求める。そして、基準画像を基準として、求めた相対的な撮影方向に応じた位置に、基準画像以外の他の画像の縮小画像を配置した撮影方向画面を作成し、作成した撮影方向画面を表示部１９に表示させる。これにより、ユーザは、現在表示中の画像と、過去に撮影した画像との間の撮影方向の関係を容易に把握することができる。
【０１１７】
特に、各画像データに付帯している撮影方向情報に基づいて、相対的な撮影方向の関係を求めるので、画像間の相対的な撮影方向の関係を精度良く求めることができる。
【０１１８】
また、画面の中央の領域に基準画像を配置するとともに、基準画像の周囲の位置に、基準画像以外の他の画像の縮小画像を配置した撮影方向画面を作成することにより、基準画像と、基準画像以外の他の画像の縮小画像とが重なるのを防いで、視認性の良い撮影方向画面を作成することができる。
【０１１９】
また、基準画像上に、基準画像以外の他の画像の縮小画像を配置した撮影方向画面を作成することにより、基準画像を表示画面全体に表示させることができる。
【０１２０】
撮影方向画面作成部１１５は、基準画像の撮影時刻に対して他の画像の撮影時刻が離れているほど、当該他の画像の縮小画像を作成する際の縮小率を大きくするので、基準画像とともに表示する他の画像が複数存在する場合に、画像の新旧を容易に把握することができる。
【０１２１】
また、撮影方向画面作成部１１５は、基準画像の撮影時刻に対して他の画像の撮影時刻が離れているほど、当該他の画像の縮小画像のコントラストまたは輝度を低下させるので、基準画像とともに表示する他の画像が複数存在する場合に、画像の新旧を容易に把握することができる。
【０１２２】
また、基準画像以外の他の画像のうち、基準画像の撮影時刻に近い所定枚数の画像を用いて、撮影方向画面を作成することにより、撮影方向画面に含まれる画像の数が多くなり過ぎるのを防ぐことができる。
【０１２３】
また、基準画像以外の他の画像のうち、各画像の撮影時刻に応じて、所定枚数の画像を用いて撮影方向画面を作成するとともに、撮影方向画面の作成に用いる画像を一定時間ごとに切り替えることにより、ユーザは、画面変化を連続して確認することができる。
【０１２４】
特に、一実施の形態におけるデジタルカメラでは、ライブビュー画像を基準画像とするので、ユーザは、ライブビュー撮影中に、どの方向のどのような被写体を過去に撮影したのかを容易に把握することができる。
【０１２５】
また、上述した撮影方向画面は、基準画像に対する相対的な撮影方向に応じて、経過画像を配置するとして説明した。これによれば、例えば基準画像から右方向にずれた画像であれば、基準画像から大きく右にずれた画像でも、少しだけずれた画像と区別なく表示される。ずれた量（移動量）についても、あわせて表現できるように、経過画像の表示位置をずれた量（移動量）に合わせて変化させるようにしてもよい。つまり、大きくずれた画像ほど、基準画像の画面のより端部に表示するようにしてもよい。
【０１２６】
なお、上述した一実施の形態の説明では、画像再生装置が行う処理としてハードウェアによる処理を前提としていたが、このような構成に限定される必要はない。例えば、コンピュータにて、ソフトウェア処理を行う構成とすることも可能である。この場合、コンピュータは、ＣＰＵ、ＲＡＭ等の主記憶装置、上記処理の全て或いは一部を実現させるためのプログラムが記憶されたコンピュータ読み取り可能な記憶媒体を備えている。ここでは、このプログラムを画像再生プログラムと呼ぶ。そして、ＣＰＵが上記記憶媒体に記憶されている画像再生プログラムを読み出して、情報の加工・演算処理を実行することにより、上述の画像再生装置と同様の処理を実現させる。
【０１２７】
ここで、コンピュータ読み取り可能な記録媒体とは、磁気ディスク、光磁気ディスク、ＣＤ−ＲＯＭ、ＤＶＤ−ＲＯＭ、半導体メモリ等をいう。また、この画像再生プログラムを通信回線によってコンピュータに配信し、この配信を受けたコンピュータが当該画像再生プログラムを実行するようにしても良い。
【０１２８】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。
【０１２９】
上述した一実施の形態では、再生装置を搭載したカメラをデジタルカメラとして説明したが、動画再生機能を有するカメラであれば、ビデオカメラやムービーカメラでもよく、さらに、携帯電話や携帯情報端末（ＰＤＡ：Personal Digital Assist）、ゲーム機器等に内蔵されるカメラでもよい。
【０１３０】
デジタルカメラ１が方向画面表示モードに設定されており、かつ、スライドショー表示に設定されていない場合、表示部１９に表示される撮影方向画面は、所定時間ごとに切り替わるものとして説明したが、ユーザが操作部１３を操作することによって、撮影方向画面を切り替えるようにしてもよい。
【符号の説明】
【０１３１】
１…カメラ
１１…制御部
１４…角度センサ
１５…撮像部
２１…再生部
２２…記録部
２３…画像記憶部
１１１…表示制御部
１１２…カメラ方向決定部
１１４…方向決定部
１１５…撮影方向画面作成部
【図８】
0005791931.tif 000002
【図９】
0005791931.tif 000003
【図１０】
0005791931.tif 000004
【図１】
0005791931.tif 000005
【図２】
0005791931.tif 000006
【図３】
0005791931.tif 000007
【図４】
0005791931.tif 000008
【図５】
0005791931.tif 000009
【図６】
0005791931.tif 000010
【図７】
0005791931.tif 000011